(57)【要約】【課題】リモコン端末を利用するユーザの交代を検知して個人用Ｗｅｂページを確実に切り替えることで、前にリモコン端末を利用したユーザの個人用Ｗｅｂページから予約などを誤って行ってしまうことを防ぎ、ログアウトするまでの間にカラオケ装置やリモコン端末側で更新や追加されたユーザ各個人のカラオケ情報やその他の情報を、ホストサーバのデータベースに正しく記録させること。【解決手段】ユーザの顔画像と先のログイン処理にてメモリ５６に記憶した顔画像とを比較する（Ｓ４０６）。顔画像による利用者の確認ができないときには（Ｓ４０８：ＮＯ）、ユーザインターフェースを切り替えてサービス提供を継続しながら（Ｓ４３０）、今回の歌唱データと過去の歌唱データとの比較によって利用者の確認を行う（Ｓ４２６）。そして、ログアウト時にマイページ履歴をログインＩＤと対応付けてカラオケ用ホストサーバ２へ送信する（Ｓ４１８）。【選択図】図８
2008250160.tif 000002
【特許請求の範囲】
【請求項１】
カラオケ演奏を行うカラオケ装置と、前記カラオケ装置を操作可能であり、情報表示機能を有するリモコン端末とが、ユーザのカラオケ歌唱に関するカラオケ情報を少なくとも含む個人用情報を蓄積するホストサーバとネットワークを介して通信可能に接続され、前記ホストサーバから前記リモコン端末に対して前記個人用情報を利用可能に配信し、前記リモコン端末において前記ホストサーバから配信された個人用情報を利用可能に構成されたカラオケネットワークシステムであって、
前記ホストサーバは、
ユーザから提供されるユーザ提供情報と、ユーザを認証するための情報である認証情報と、前記ユーザが歌唱した前記カラオケ演奏の歌唱データとを対応付けてユーザごとの個人用情報として記憶する個人用情報記憶手段と、
前記個人用情報記憶手段に記憶されている個人用情報の認証情報に基づき、前記カラオケ装置とリモコン端末の利用を要求するユーザに対する認証を行い、当該認証したユーザに対して前記カラオケ装置とリモコン端末の利用を許可する認証手段と、
前記個人用情報記憶手段に記憶されている個人用情報のうち、認証中ユーザに対しては前記ユーザの個人用情報を、前記リモコン端末に対して閲覧可能に配信する配信手段と、を備え、
前記カラオケ装置および前記リモコン端末は、互いに通信可能な通信手段をそれぞれ備え、
前記リモコン端末は、さらに、
自リモコン端末からの前記カラオケ装置に対する操作許可を要求するための、ユーザの識別情報を含む所定の操作許可要求情報を、前記通信手段を介して前記カラオケ装置へ送信する操作許可要求手段と、
前記操作許可要求手段からの要求に応じて前記カラオケ装置から送信されてくる許可情報に基づき、ユーザによる前記カラオケ装置に対する操作指示を受け付け、この受け付けた操作指示を、前記通信手段を介して前記カラオケ装置へ送信する操作手段と、
前記操作許可要求手段からの要求に応じて前記カラオケ装置から許可情報が送信されてきた際に、または、前記操作手段によってユーザによる前記カラオケ装置に対する操作指示を受け付けた際に、当該ユーザの顔画像を取得する顔画像取得手段と、
前記カラオケ装置から許可情報が送信されてきた際に前記顔画像取得手段によって取得された当該ユーザの顔画像を記憶する顔画像記憶手段と、
前記顔画像記憶手段によって記憶された顔画像の中から、前記操作手段によってユーザによる前記カラオケ装置に対する操作指示を受け付けた際に前記顔画像取得手段によって取得された当該ユーザの顔画像と一致する顔画像を検索する顔画像検索手段と、
前記顔画像記憶手段によって記憶された顔画像の中から、前記操作手段によってユーザによる前記カラオケ装置に対する操作指示を受け付けた際に前記顔画像取得手段によって取得された当該ユーザの顔画像と一致する画像が前記顔画像検索手段によって検索された場合には、その検索された顔画像に対応するユーザが前記操作手段によってユーザによる前記カラオケ装置に対する操作指示を行ったと認定する認定手段と、
前記顔画像記憶手段によって記憶された顔画像の中から、前記操作手段によってユーザによる前記カラオケ装置に対する操作指示を受け付けた際に前記顔画像取得手段によって取得された当該ユーザの顔画像と一致する画像が前記顔画像検索手段によって検索されなかった場合に、更新された個人用情報を一時記憶する一時記憶手段と、
前記顔画像記憶手段によって記憶された顔画像の中から、前記操作手段によってユーザによる前記カラオケ装置に対する操作指示を受け付けた際に前記顔画像取得手段によって取得された当該ユーザの顔画像と一致する画像が前記顔画像検索手段によって検索されなかった場合に、認証中のユーザに関する過去の歌唱情報を前記ホストサーバの前記個人用情報記憶手段から取得し、その取得した歌唱情報の中から歌唱中のユーザの歌唱情報と一致する歌唱情報を検索する歌唱情報検索手段と、を備え、
前記認定手段は、前記歌唱情報記憶手段から認証中のユーザに関する過去の歌唱情報の中から歌唱中のユーザの歌唱情報と一致する歌唱情報が前記歌唱情報検索手段によって検索された場合には、その検索された歌唱情報に対応するユーザが前記操作手段によってユーザによる前記カラオケ装置に対する操作指示を行ったと認定し、
前記一時記憶手段は、前記歌唱情報記憶手段から認証中のユーザに関する過去の歌唱情報の中から歌唱中のユーザの歌唱情報と一致する歌唱情報が前記歌唱情報検索手段によって検索されなかった場合には、更新された個人用情報を一時記憶し、
前記カラオケ装置は、さらに、
前記通信手段を介して前記リモコン端末から受信した操作許可要求情報に基づき、前記ホストサーバの前記認証手段に対して当該ユーザに対する認証を要求する認証要求手段と、
前記認証要求手段からの要求に応じて前記ホストサーバから送信されてくる認証結果に基づき、前記通信手段を介して所定の許可情報を当該リモコン端末に対して送信する許可情報送信手段と、を備えること
を特徴とするカラオケネットワークシステム。
【請求項２】
請求項１に記載のカラオケネットワークシステムにおいて、
前記顔画取得手段は、取得する顔画像の画像面の法線方向が前記操作手段の操作面の法線方向とほぼ同一方向となるよう顔画像を取得することを特徴とするカラオケネットワークシステム。
【請求項３】
請求項１または請求項２に記載のカラオケネットワークシステムにおいて、
前記認証手段は、前記歌唱情報記憶手段から認証中のユーザに関する過去の歌唱情報の中から歌唱中のユーザの歌唱情報と一致する歌唱情報が前記歌唱情報検索手段によって検索されなかった場合には、歌唱者の歌唱に対する採点結果を取得し、その取得した採点結果と前記歌唱情報に含まれる過去の採点結果とを比較して、過去の採点結果のうちその取得した採点結果に最も近い採点結果に対応するユーザを、歌唱中のユーザと認定すること
を特徴とするカラオケネットワークシステム。
【発明の詳細な説明】
【技術分野】
【０００１】
本発明は、カラオケネットワークシステムで複数人のユーザがリモコン端末を共有して操作して、ユーザ各個人のカラオケ情報やその他の情報を閲覧することも共有する場合において、リモコン端末を利用するユーザが交代した際に個人用Ｗｅｂページの切り替えを怠った場合でも、そのユーザの交代を検知して個人用Ｗｅｂページを確実に切り替えることで、前にリモコン端末を利用したユーザの個人用Ｗｅｂページから予約などを誤って行ってしまうことを防ぎ、ログアウトするまでの間に、ユーザ各個人のカラオケ情報やその他の情報を正しく記録させる技術に関する。
【背景技術】
【０００２】
従来、インターネット等のネットワークを介してユーザ間で情報を共有可能なシステムとして、例えば、特許文献１に記載のような情報交換システムが知られている。特許文献１に記載の情報交換システムは、予め登録された情報提供者から情報提供者専用Ｗｅｂページを介して入力された提供情報を管理サーバで記憶しておき、予め登録された情報利用者から情報利用者専用Ｗｅｂページを介して入力された条件に基づいて、管理サーバが記憶している提供情報を情報利用者に対して提供する。
【０００３】
また、カード内の個人情報をアクセス及び検索するためのセキュリティを有し、インターネットを通じて電子商取引を実行するシステムが知られている（例えば特許文献２）。この種のシステムでは、次のような作用を奏する。すなわち、個人または私的情報を含む個人ウェブ・サイトが個人スマート・ジャバ・カード内に記憶される。ユーザがカードに記憶されたサイトをアクセスする前、ユーザはＰＩＮ、顔のイメージ、手のイメージ、目のイメージ、音声特性または指紋のいずれか、またはそれらの組み合わせにより確認される。更にカード内の暗号化エンジン２１０が秘密キーまたはセキュリティ証書と結合された入力ＰＩＮを復号して比較し、ユーザの識別を検証する。つまり、異なる二つの技術によって順次認証を行い、ユーザＩＤを特定する。このことにより、例えば銀行口座がユーザにより自由にアクセスされる前に、銀行のコンピュータ・システムがウェブ・ブラウザを介してインターネット・セキュリティ・プロトコルを用い、多重チェック・ポイントにおいて、結合秘密データをチェックし、カードの真正及びユーザの識別を保証するとされている。
【０００４】
また、限られた記憶容量しか保有しないカラオケ装置において、従来よりも多くの利用者の声紋データによる個人同定が可能な、カラオケ装置において選曲候補を提示して選曲予約を受け付けるシステムが知られている（例えば特許文献３）。この種のシステムでは、次のような作用を奏する。すなわち、カラオケ演奏時に歌唱者の声紋データを採取して得られた前記声紋データを声紋分類手段によりいくつかの類型に分類し、声紋データを採取したときに演奏されていたカラオケ楽曲の楽曲ＩＤを当該声紋データが属する前記分類に対応づけして声紋／歌唱楽曲記録簿に記録し、選曲モード時に得られた声紋データが属する前記分類に対応づけされて記録されている楽曲ＩＤ群を前記声紋／歌唱楽曲記録簿から読み出して、これらに対応する曲名などを一覧的に表示してこの中から選曲予約させるようにする。
【特許文献１】特開２００５−１９０２４９号公報
【特許文献２】特開２０００−２２２３６２号公報
【特許文献３】特開２００１−２０９３９０号公報
【発明の開示】
【発明が解決しようとする課題】
【０００５】
ところで、上述のようなインターネット等のネットワークを介してユーザ間で情報を共有可能なシステムをカラオケサービスに利用して、カラオケユーザ間でユーザ各個人のカラオケ情報やその他の情報を共有できるように構成すれば、カラオケユーザに対してより魅力あるカラオケサービスを提供できると考えられる。
【０００６】
具体的には、以下のようなカラオケネットワークシステムを構成することが考えられる。ホストサーバは、予め登録されたユーザがカラオケサービスを利用することで得られるカラオケユーザの歌唱履歴、十八番の楽曲、歌唱に対する採点結果等に関する個人のカラオケ情報や、ユーザから提供されたユーザ提供情報等をホストサーバのデータベースに蓄積しておく。そして、この蓄積されたカラオケ情報及びユーザ提供情報等をまとめた個人用Ｗｅｂページをネットワークを介してユーザへ配信する。ユーザは、パーソナルコンピュータ（以下、パソコンと称する。）や携帯電話等の情報端末だけでなく、カラオケサービス利用時には情報閲覧機能を有するリモコン端末を介して、ユーザ登録を行い、ユーザ毎にログイン、ログアウトしたことを特定するための認証情報（例えば、ユーザＩＤと、ＩＤに対応したパスワード）を作成した後、カラオケネットワークシステムにログインする（以下、「システムにログインする」と表記する。）ことで、自分やグループメンバーの個人用Ｗｅｂページを閲覧したり、自分の個人用Ｗｅｂページを更新したりできる。そして作業が終了すればログアウトする。
【０００７】
一方、上述のようなカラオケネットワークシステムでは、グループでの１つのカラオケルームを利用する場合を想定して、１台のリモコン端末で複数のユーザが並行してシステムにログインし、ログアウトできるように構成する必要がある。なぜなら、各カラオケルームを利用する人数と同じ数のリモコン端末をカラオケサービス提供者側が用意することは費用や設置スペースの面で現実的ではなく、通常、複数人で１台（通常、１つのカラオケルームにつき１台。）のリモコン端末を使用することが多いためである。つまり、同じカラオケルーム内において、グループの全てのメンバーが個人用Ｗｅｂページを利用することができるようにするためには、１台のリモコン端末で複数のユーザが並行してシステムにログインし、ログアウトできるように構成することが肝要である。
【０００８】
しかしながら、１台のリモコン端末で複数のユーザが並行してログインできるようにした場合、次のような問題がある。グループでカラオケルームに入室後、グループのメンバーが１人ずつ順番にリモコン端末を使用してユーザ登録やシステムにログインする操作を行わなければならない。その際に、リモコン端末を利用するユーザが交代した際に個人用Ｗｅｂページへの切り替えを怠った場合、前にリモコン端末を利用したユーザの個人用Ｗｅｂページから予約などを行ってしまうおそれがある。
【０００９】
この場合、他のユーザの個人用Ｗｅｂページからカラオケ曲を予約し、歌唱し、採点が計測されたまま、該当する個人用Ｗｅｂページのユーザがログアウトすると、ホストサーバのデータベースに記録されている、予め登録されたユーザがカラオケサービスを利用することで得られるカラオケユーザの歌唱履歴、十八番の楽曲、歌唱に対する採点結果等に関する個人のカラオケ情報（カラオケ演奏の歌唱データ）や、ユーザから提供されたユーザ提供情報等を含んだ、ユーザの個人用情報に、他のユーザの歌唱データが反映されてしまう。
【００１０】
本発明は、上述のような問題を解決するためになされており、上述のようなカラオケネットワークシステムで複数人のユーザがリモコン端末を共有して操作して、ユーザ各個人のカラオケ情報やその他の情報を閲覧することも共有する場合において、リモコン端末を利用するユーザが交代した際に個人用Ｗｅｂページの切り替えを怠った場合でも、そのユーザの交代を検知して個人用Ｗｅｂページを確実に切り替えることで、前にリモコン端末を利用したユーザの個人用Ｗｅｂページから予約などを誤って行ってしまうことを防ぎ、ログアウトするまでの間にカラオケ装置やリモコン端末側で更新や追加されたユーザ各個人のカラオケ情報やその他の情報を、ホストサーバのデータベースに正しく記録させる技術を提供することを目的とする。
【課題を解決するための手段】
【００１１】
上記課題を解決するためになされた請求項１に係るカラオケネットワークシステムは、「認証中の利用者の顔画像を用いてリモコン端末のユーザインターフェースを利用者に応じて切り替え、顔画像による利用者の確認ができないときには、ユーザインターフェースを切り替えてサービス提供を継続しながら、今回の歌唱データと過去の歌唱データとの比較によって利用者の確認を行うこと」を特徴とする。
【００１２】
具体的には、上述のカラオケネットワークシステムは、カラオケ演奏を行うカラオケ装置と、前記カラオケ装置を操作可能であり、情報表示機能を有するリモコン端末とが、ユーザのカラオケ歌唱に関するカラオケ情報を少なくとも含む個人用情報を蓄積するホストサーバとネットワークを介して通信可能に接続され、ホストサーバからリモコン端末に対して個人用情報を利用可能に配信し、リモコン端末においてホストサーバから配信された個人用情報を利用可能に構成されている。
【００１３】
このうちホストサーバでは、個人用情報記憶手段が、ユーザから提供されるユーザ提供情報と、ユーザを認証するための情報である認証情報と、前記ユーザが歌唱した前記カラオケ演奏の歌唱データとを対応付けてユーザごとの個人用情報として記憶している。そして、認証手段が、個人用情報記憶手段に記憶されている個人用情報の認証情報に基づき、カラオケ装置とリモコン端末の利用を要求するユーザに対する認証を行い、当該認証したユーザに対してカラオケ装置とリモコン端末の利用を許可する。さらに、配信手段が、個人用情報記憶手段に記憶されている個人用情報のうち、認証中ユーザに対してはユーザの個人用情報を、リモコン端末に対して閲覧可能に配信する。
【００１４】
また、カラオケ装置およびリモコン端末は、互いに通信可能な通信手段をそれぞれ備えている。
一方、リモコン端末では、操作許可要求手段が、自リモコン端末からのカラオケ装置に対する操作許可を要求するための、ユーザの識別情報を含む所定の操作許可要求情報を、通信手段を介してカラオケ装置へ送信する。
【００１５】
なお、カラオケ装置では、認証要求手段が、通信手段を介してリモコン端末から受信した操作許可要求情報に基づき、ホストサーバの前記認証手段に対して当該ユーザに対する認証を要求する。そして、許可情報送信手段が、認証要求手段からの要求に応じてホストサーバから送信されてくる認証結果に基づき、通信手段を介して所定の許可情報を当該リモコン端末に対して送信する。
【００１６】
そして、リモコン端末では、操作手段が、操作許可要求手段からの要求に応じてカラオケ装置から送信されてくる許可情報に基づき、ユーザによるカラオケ装置に対する操作指示を受け付け、この受け付けた操作指示を通信手段を介してカラオケ装置へ送信する。また、顔画像取得手段が、操作許可要求手段からの要求に応じてカラオケ装置から許可情報が送信されてきた際に、または、操作手段によってユーザによる前記カラオケ装置に対する操作指示を受け付けた際に、当該ユーザの顔画像を取得する。このうちカラオケ装置から許可情報が送信されてきた際には、顔画像記憶手段が、顔画像取得手段によって取得された当該ユーザの顔画像を記憶する。さらに、顔画像検索手段が、顔画像記憶手段によって記憶された顔画像の中から、操作手段によってユーザによるカラオケ装置に対する操作指示を受け付けた際に顔画像取得手段によって取得された当該ユーザの顔画像と一致する顔画像を検索する。顔画像記憶手段によって記憶された顔画像の中から、操作手段によってユーザによるカラオケ装置に対する操作指示を受け付けた際に顔画像取得手段によって取得された当該ユーザの顔画像と一致する画像が顔画像検索手段によって検索された場合には、認定手段が、その検索された顔画像に対応するユーザが前記操作手段によってユーザによる前記カラオケ装置に対する操作指示を行ったと認定する。一方、顔画像記憶手段によって記憶された顔画像の中から、操作手段によってユーザによるカラオケ装置に対する操作指示を受け付けた際に顔画像取得手段によって取得された当該ユーザの顔画像と一致する画像が顔画像検索手段によって検索されなかった場合には、一時記憶手段が、更新された個人用情報を一時記憶し、さらに、歌唱情報検索手段が、認証中のユーザに関する過去の歌唱情報をホストサーバの個人用情報記憶手段から取得し、その取得した歌唱情報の中から歌唱中のユーザの歌唱情報と一致する歌唱情報を検索する。歌唱情報記憶手段から認証中のユーザに関する過去の歌唱情報の中から歌唱中のユーザの歌唱情報と一致する歌唱情報が歌唱情報検索手段によって検索された場合には、認定手段が、その検索された歌唱情報に対応するユーザが操作手段によってユーザによる前記カラオケ装置に対する操作指示を行ったと認定する。一方、歌唱情報記憶手段から認証中のユーザに関する過去の歌唱情報の中から歌唱中のユーザの歌唱情報と一致する歌唱情報が歌唱情報検索手段によって検索されなかった場合には、一時記憶手段が、更新された個人用情報を一時記憶する。
【００１７】
このように構成された本発明のカラオケネットワークシステムによれば、認証中の利用者の顔画像を用いてリモコン端末のユーザインターフェースを利用者に応じて切り替え、顔画像による利用者の確認ができないときには、ユーザインターフェースを切り替えてサービス提供を継続しながら、今回の歌唱データと過去の歌唱データとの比較によって利用者の確認を行う。このことにより、カラオケネットワークシステムで複数人のユーザがリモコン端末を共有して操作して、ユーザ各個人のカラオケ情報やその他の情報を閲覧することも共有する場合において、リモコン端末を利用するユーザが交代した際に個人用Ｗｅｂページの切り替えを怠った場合でも、そのユーザの交代を検知して個人用Ｗｅｂページを確実に切り替えることで、前にリモコン端末を利用したユーザの個人用Ｗｅｂページから予約などを誤って行ってしまうことを防ぎ、ログアウトするまでの間にカラオケ装置やリモコン端末側で更新や追加されたユーザ各個人のカラオケ情報やその他の情報を、ホストサーバのデータベースに正しく記録させることができる。
【００１８】
ところで、顔画取得手段が顔画像を取得する場合には、顔画像の画像面の法線方向と操作手段の操作面の法線方向とがほぼ同一方向となるようにすることが考えられる。具体的には、請求項２のように、顔画像取得手段については、取得する顔画像の画像面の法線方向が操作手段の操作面の法線方向とほぼ同一方向となるよう顔画像を取得することが考えられる。このように構成すれば、顔画像による利用者の確認の精度をより向上させることができる。
【００１９】
なおこの場合、上述のように顔画取得手段が顔画像を取得する場合には、顔画像の画像面の法線方向と操作手段の操作面の法線方向とがほぼ同一方向となり、かつ前記操作面から、一般的な人間の腕の長さ相当（約５０ｃｍ）程度離れた位置において、操作面の中心点から約＋／−３０ｃｍ四方の範囲（一般的なの人間の顔の全てが映る範囲）を撮影範囲になるようにすることが考えられる。具体的には、顔画像取得手段については、取得する顔画像の画像面の法線方向が操作手段の操作面の法線方向とほぼ同一方向で、かつ前記操作面から、３０〜６０ｃｍ程度離れた位置において合焦し、操作面の中心点から約＋／−２０ｃｍ〜４０ｃｍ四方の範囲を撮影範囲となるよう顔画像を取得することが考えられる。このように構成すれば、例えば、操作面が鏡面であると仮定すると、前記鏡に映った自己の顔が全て映った範囲が撮影範囲となるようにすれば、顔画像は操作面の範囲内で撮影されるため、顔画像による利用者の確認の精度をより向上させることができるので、ログアウトするまでの間にカラオケ装置やリモコン端末側で更新や追加されたユーザ各個人のカラオケ情報やその他の情報を、ホストサーバのデータベースに正しく記録させることができる。
【００２０】
また、ログイン中のユーザに対応する歌唱データの中に、その受け付けた予約曲と一致するデータが存在しない場合には、歌唱者の歌唱を採点した採点結果と過去の採点結果との比較によって本人確認を行うことが考えられる。
【００２１】
具体的には、請求項３のように、歌唱情報記憶手段から認証中のユーザに関する過去の歌唱情報の中から歌唱中のユーザの歌唱情報と一致する歌唱情報が歌唱情報検索手段によって検索されなかった場合には、認証手段が、歌唱者の歌唱に対する採点結果を取得し、その取得した採点結果と歌唱情報に含まれる過去の採点結果とを比較して、過去の採点結果のうちその取得した採点結果に最も近い採点結果に対応するユーザを、歌唱中のユーザと認定することが考えられる。
【００２２】
このように構成すれば、ログイン中のユーザに対応する歌唱データの中に、その受け付けた予約曲と一致するデータが存在しない場合であっても、利用者の確認の精度をより向上させることができるので、ログアウトするまでの間にカラオケ装置やリモコン端末側で更新や追加されたユーザ各個人のカラオケ情報やその他の情報を、ホストサーバのデータベースに正しく記録させることができる。
【発明を実施するための最良の形態】
【００２３】
以下に本発明の実施形態を図面とともに説明する。
［第一実施形態］
図１は、インターネット２００を利用したカラオケネットワークシステム１の概略構成を示すブロック図である。
【００２４】
［カラオケネットワークシステム１の構成の説明］
図１に示すように、カラオケネットワークシステム１は、Ｗｅｂサーバ２ａとデータベース２ｂとを備えるカラオケ用ホストサーバ２に対して、カラオケ店等の各カラオケルームに設置されるカラオケ装置４と、カラオケ装置４を操作するためのリモコン端末５とがインターネット２００を介して通信可能に構成されることによって形成されている。
【００２５】
カラオケ用ホストサーバ２は、カラオケ店等に設置されているカラオケ装置４に対して楽曲データやカラオケ装置４からユーザへ提供するためのコンテンツデータ等を配信するためのカラオケサービス用のホストサーバである。カラオケ用ホストサーバ２は、ホストサーバ側のルータ１３０とカラオケ店側のルータ１２０との間でインターネットネットワーク２００上に形成されるＶＰＮ（virtual private network）を介して、カラオケ店側
のＬＡＮ１００に接続されている。ルータ１２０，１３０は、ＩＰアドレスを用いた通信装置間を接続するルーティング機能以外に、インターネット２００上でＶＰＮを形成するＶＰＮゲートウェイ機能も有する。つまり、カラオケ用ホストサーバ２と、カラオケ装置４及びリモコン端末５との間の通信においては、それぞれの装置が、予め、通信元のＩＰアドレスと、通信先のＩＰアドレスとを記録しており、通信時に通信先のＩＰアドレスを特定することで、ＴＣＰ／ＩＰなどの通信技術を用いて、インターネット２００上のＶＰＮ及びカラオケ店側のＬＡＮ１００を介して行われる。更に、ＬＡＮ１００にはアクセスポイント１１０が接続されている。このアクセスポイント１１０は、無線ＬＡＮ（例えば、ＩＥＥＥ８０２．１１）による無線通信で、複数のリモコン端末５とＬＡＮ１００とを接続するための電波中継機あるので、リモコン端末５もアクセスポイント１１０を介してカラオケ装置４やホストサーバ２と通信を行うことができる。また、カラオケネットワークシステム１における各装置のＩＰアドレスは各装置の識別情報として用いられている。
【００２６】
さらに、本カラオケネットワークシステム１において、カラオケ用ホストサーバ２は、カラオケ装置４に送信してカラオケ装置４側で使用するカラオケ曲データベースや、リモコン端末５の識別情報、ユーザを特定するユーザ識別情報（ユーザＩＤ（以下、ログインＩＤとも称す。），パスワード）や、ユーザのカラオケ履歴（マイページ参照、後述）を管理するデータベース、カラオケ装置４の識別情報を管理するデータベースを有するデータベース２ｂを備えている。そして、カラオケ用ホストサーバ２が備えるＷｅｂサーバ２ａは、このデータベース２ｂと連携しており、カラオケ店側のユーザによるリモコン端末５とカラオケ装置４を介した、ホストサーバ２へのログイン要求に応じて、前記リモコン端末５からカラオケネットワークシステム１を利用するために、前記ログインしようとするユーザに対する認証や、ログインしたユーザに対する個人用Ｗｅｂページ（マイページ）の配信・更新サービスを行う。すなわち、ここでいう連携とは、ユーザ認証及び個人用Ｗｅｂページの配信をＷｅｂサーバ２ａが行うために、データベース２ｄ内に格納されたデータを参照したり、Ｗｅｂサーバ２ａが受け付けた個人用Ｗｅｂページ更新のデータをデータベース２ｂに反映させたりすることで、Ｗｅｂサーバ２ａが行う前記サービスに利用するためのデータと、データベース２ｂとが対応していることを指す。
【００２７】
また、データベース２ｂには、図３（ａ）に例示するように、ログイン中のユーザに関するユーザ情報を登録するマイページが記憶されている。このマイページには、ログイン中のユーザのＩＤ（ログインＩＤ）、歌唱曲名、歌唱データ（採点値や録音データ）などのカラオケ履歴、ログアウト時に追加されるログインからログアウトするまでに生じた新たなカラオケ履歴、ユーザ画面（図３（ｂ）参照）などを含むレコードが登録されており、これらレコードはマイページの履歴（以下、マイページ履歴）としてユーザ識別情報毎に対応している。
【００２８】
［カラオケ装置４の構成の説明］
図２は、カラオケ店等のカラオケルーム内に設置されているカラオケ装置４及びリモコン端末５のより具体的な構成を示すブロック図である。
【００２９】
カラオケ装置４は、カラオケを利用するユーザから指定された楽曲のカラオケ演奏を行うためのものであり、図２に示すように、カラオケ装置４全体の作動を制御する制御部１２、カラオケ装置４をＬＡＮ１００に接続するためのインタフェース部１４、演奏楽曲の伴奏内容及び歌詞を示す楽曲データや映像データ等のコンテンツデータ、カラオケ装置４が作動するためのプログラム等を記憶するハードディスク（ＨＤＤ）１６、複数のキースイッチからなり、曲の予約操作等を行うための操作部１８、リモコン端末５や携帯電話６等から送信された赤外線信号を、赤外線通信規格（ＩｒＤＡ（登録商標））又はリモコン端末５とカラオケ装置４との二者間において予め設定された通信条件に従って通信するための赤外線通信部２０、操作部１８からの信号を処理する操作処理部２２、マイクロフォン２６、ＨＤＤ１６に記憶された演奏データ（ＭＩＤＩデータ）に基づく演奏再生を行うＭＩＤＩ音源３０、ＭＩＤＩ音源３０から出力されたデジタル信号から演奏楽曲のオーディオ信号（音響、音声に関する信号）を生成し、生成されたオーディオ信号及びマイクロフォン２６から入力されたオーディオ信号を増幅してスピーカ２８へ出力する音声制御部２４、画像データを一時的に記憶するビデオＲＡＭ３２、ビデオＲＡＭ３２に記憶された画像データに基づく映像の再生を制御する映像再生部３４、映像再生部３４により再生される映像のモニタ３６での表示を制御する映像制御部３８、半導体素子を利用した書き換え可能な記憶媒体であるメモリ４０などを備えている。
【００３０】
メモリ４０には、図４（ａ）に例示するように、メモリマップが記憶されている。このメモリマップには、ログイン中のユーザのログインＩＤ、歌唱中の曲名、現在の歌唱データ、マイページの歌唱データ、採点結果である点数、当該レコードが確定されているか一時記憶されているのかを示すデータ、などを含むレコードが登録されている。
【００３１】
制御部１２は、演奏中の楽曲に対応するユーザの個人用Ｗｅｂページに対する更新を禁止するための指示をリモコン端末５に対して送信したり、ユーザの行った歌唱に関する情報をカラオケ用ホストサーバ２へ送信したりする処理などを実行する。
【００３２】
［リモコン端末５の構成の説明］
リモコン端末５は、カラオケルーム内で使用されるためのものであり、演奏楽曲の予約等をするための操作を利用者から受け付け、その操作信号をカラオケ装置４に送信する機能を有する。また、リモコン端末５は、アクセスポイント１１０経由でＬＡＮ１００及びインターネット２００上のＶＰＮを介してカラオケ用ホストサーバ２へアクセスし、カラ
オケ用ホストサーバ２から受信したデータに基づいて個人用Ｗｅｂページの閲覧・更新するための機能も有する。
【００３３】
具体的にリモコン端末５は、図２に示すように、リモコン端末５全体の作動を制御する制御部５２、赤外線通信部２０と通信を行う赤外線通信部５４、リモコン端末５が作動するためのプログラム等の各種情報を記憶するメモリ５６、表示部５８の表示領域に沿って設置されるタッチパネル及び複数のキースイッチからなり、利用者からの操作を受け付ける操作部６０、操作部６０からの信号を処理する操作処理部６２、画像データを一時的に記憶するビデオＲＡＭ６４、ビデオＲＡＭ６４に記憶された画像データの表示部５８での表示を制御する映像制御部６６、ＬＡＮ１００に接続されたアクセスポイント１１０との間で無線ＬＡＮ（例えば、ＩＥＥＥ８０２．など）によって無線通信を行うための無線ＬＡＮ通信部６８、カメラ７２などを備えている。
【００３４】
メモリ５６には、図３（ｃ）に例示するように、リモコン端末５を識別するための識別情報が記憶されている。
メモリ５６には、図４（ｂ）に例示するように、メモリマップが記憶されている。このメモリマップには、ログイン中のユーザのＩＤ（ログインＩＤ）、カメラ７２によって撮影された撮影画像、マイページ画像、予約曲、撮影画像が比較済みであるか否かを示すカメラ比較フラグ、などを含むレコードが登録されている。
【００３５】
制御部５２は、利用者から曲の予約をするための操作入力を受け付け、選択された曲の曲番号に、予約者（即ち、歌唱する人）のログインＩＤを付加した予約データをカラオケ装置４へ送信する処理を実行する。また、制御部５２は、インターネット２００を介してカラオケ用ホストサーバ２へアクセスし、カラオケ用ホストサーバ２から受信したデータに基づいて個人用Ｗｅｂページの閲覧・更新を行うための各種処理を実行する。なお、リモコン端末５は、複数のユーザのアカウントごとに並行してシステムにログイン可能に構成されている。
【００３６】
カメラ７２は、ＣＣＤカメラで構成され、その前方を撮像する機能を有する。また、カメラ７２は、取得する画像の画像面の法線方向が操作部６０の操作面の法線方向とほぼ同一方向で、且つ操作部６０の操作面から、３０〜６０ｃｍ程度離れた位置において合焦し、操作部６０の操作面の中心点から約＋／−２０ｃｍ〜４０ｃｍ四方の範囲を撮影範囲となるようにしたので、ユーザがリモコン端末５の操作部６０を操作し目視してログインするときに、前記ユーザがリモコン端末５の操作部６０を操作し目視可能な距離で、かつ、操作部６０とユーザの顔とを対向させたときに顔画像を正しく取得することが可能である。
【００３７】
［対応関係の説明］
以上、実施形態のカラオケネットワークシステム１の構成について説明したが、本実施形態におけるカラオケネットワークシステム１の構成と、特許請求の範囲に記載した構成との対応は次のとおりである。
【００３８】
本実施形態のカラオケ用ホストサーバ２が、特許請求の範囲におけるホストサーバ、認証手段および配信手段に相当し、カラオケ用ホストサーバ２におけるデータベース２ｂが個人用情報記憶手段に相当する。また、リモコン端末５における制御部５２が通信手段、操作許可要求手段、操作手段、顔画像検索手段、認定手段および歌唱情報検索手段に相当する。また、リモコン端末５におけるメモリ５６が顔画像記憶手段および一時記憶手段に相当する。また、リモコン端末５におけるカメラ７２制御部５２が顔画像取得手段に相当する。また、カラオケ装置４における制御部１２が認証要求手段、許可情報送信手段および通信手段に相当する。
【００３９】
［メイン処理の説明］
以下に、カラオケネットワークシステム１のカラオケ用ホストサーバ２、カラオケ装置４およびリモコン端末５が実行するメイン処理の処理手順を図１１に基づいて説明する。なお、図１１は、カラオケ用ホストサーバ２、カラオケ装置４、およびリモコン端末５間で行われる通信の流れを模式的に示すラダーチャートである。
【００４０】
このメイン処理は、図１１に示すように、リモコン端末５によるログイン処理、カラオケ装置４によるログイン処理、カラオケ用ホストサーバ２によるログイン処理、  リモコン端末５による予約処理、カラオケ装置４によるカラオケ演奏処理、およびカラオケ用ホストサーバ２によるログアウト処理から構成され、カラオケネットワークシステム１のカラオケ用ホストサーバ２、カラオケ装置４およびリモコン端末５がそれぞれ起動している場合に他の処理からは独立して実行される。以下に各処理を順に説明する。
【００４１】
［リモコン端末５のログイン処理の説明］
以下に、カラオケネットワークシステム１のリモコン端末５が実行するログイン処理の処理手順を図５のフローチャートに基づいて説明する。このリモコン端末５によるログイン処理は、カラオケネットワークシステム１のリモコン端末５が起動している場合に他の処理からは独立して繰り返し実行される。
【００４２】
まず、ユーザによって操作部６０から入力されたユーザ識別情報（ログインＩＤおよびパスワード）を受け付けるまで待機し（Ｓ１１０：ＮＯ）、受け付けた場合には（Ｓ１１０：ＹＥＳ）、カメラ７２を制御してユーザの顔画像を取得する（Ｓ１２０）。そして、その取得したユーザの顔画像と受け付けた前記ユーザ識別情報とを対応付けてログイン情報としてメモリ５６に記憶させる（Ｓ１３０）。さらに、ログイン要求、受け付けたユーザ識別情報からなるログイン情報を、リモコン端末５の識別情報と対応付けて、カラオケ装置４を介し、カラオケ装置４では更にカラオケ装置４の識別情報をも対応付け、つまり、ログイン要求と、受け付けたユーザ識別情報と、リモコン端末５の識別情報と、カラオケ装置４の識別情報とを対応付けてカラオケ用ホストサーバ２へ送信する（Ｓ１４０）。
【００４３】
続いて、カラオケ用ホストサーバ２から送信された、前記ユーザ識別情報の認証結果を受信し、その受信した認証結果に基づいてそのユーザにログインが許可されるか否かを判断する。なお、上述のようにホストサーバ２が処理したユーザ識別情報の認証結果が、ユーザ識別情報を送信したリモコン端末５で受信することができるのは、リモコン端末５に記憶したユーザ識別情報と、リモコン端末５の識別情報と、カラオケ装置４の識別情報とが、それぞれ対応付けられているからであり、ホストサーバ２は認証後、返信すべきカラオケ装置４を識別情報から特定し、認証結果をカラオケ装置４へ送信し、前記認証結果を受信したカラオケ装置４は、同様に返信すべきリモコン端末５を特定し、前記認証結果をリモコン端末４へ返信するのである。そのログインが許可されない場合には、その旨を表示部５８に表示させて本処理を終了する。一方、そのユーザにログインが許可される場合には、カラオケ用ホストサーバ２から送信されたマイページ画像を受信し（Ｓ１５０）、その取得したマイページ画像と上述のログインＩＤとを対応付けてメモリ５６に記憶させる（Ｓ１６０）。
【００４４】
そして、本処理を終了させる。
［カラオケ装置４のログイン処理の説明］
以下に、カラオケネットワークシステム１のカラオケ装置４が実行するログイン処理の処理手順を図６のフローチャートに基づいて説明する。このカラオケ装置４によるログイン処理は、カラオケネットワークシステム１のカラオケ装置４が起動している場合に他の処理からは独立して繰り返し実行される。
【００４５】
まず、リモコン端末５から送信されたログイン要求を受信するまで待機し（Ｓ２１０：ＮＯ）、受信した場合には（Ｓ２１０：ＹＥＳ）、リモコン端末５から送信されたログインＩＤおよびパスワードを受信し（Ｓ２２０）、受信したログインＩＤおよびパスワードをカラオケ用ホストサーバ２へ送信する（Ｓ２３０）。
【００４６】
続いて、カラオケ用ホストサーバ２から送信された、ログインＩＤに対するパスワードの当否の認証結果を受信するまで待機し（Ｓ２４０：ＮＯ）、受信した場合には（Ｓ２４０：ＹＥＳ）、カラオケ用ホストサーバ２から送信された、ログインＩＤに対応するマイページ履歴およびマイページ画面を受信する（Ｓ２５０）。そして、認証結果とそのログインＩＤに対応するマイページ履歴およびマイページ画面とをリモコン端末５に送信する（Ｓ２６０）。
【００４７】
そして、本処理を終了する。
［カラオケ用ホストサーバ２のログイン処理の説明］
以下に、カラオケネットワークシステム１のカラオケ用ホストサーバ２が実行するログイン処理の処理手順を図７のフローチャートに基づいて説明する。このカラオケ用ホストサーバ２によるログイン処理は、カラオケネットワークシステム１のカラオケ用ホストサーバ２が起動している場合に他の処理からは独立して繰り返し実行される。
【００４８】
まず、カラオケ装置４から送信されたログインＩＤおよびパスワードを受信するまで待機し（Ｓ３１０：ＮＯ）、受信した場合には（Ｓ３１０：ＹＥＳ）、データベース２ｂが記憶する登録ユーザに関するユーザ情報を参照して、その受信したログインＩＤに対するパスワードの当否を確認する（Ｓ３２０）。その認証結果を、カラオケ装置４を介してリモコン端末５へ送信するとともに、その認証結果に基づいてそのユーザにログインを許可するか否かを判断する。そのユーザにログインを許可しない場合には、本処理を終了する。一方、そのユーザにログインを許可する場合には、データベース２ｂが記憶する登録ユーザに関するユーザ情報を参照して、ログインＩＤに対応する個人情報を抽出し、その抽出した個人情報のうちのマイページ履歴およびマイページ画面を、上述の認証結果とともに、カラオケ装置４を介してリモコン端末５に送信する（Ｓ３３０）。
【００４９】
そして、本処理を終了する。
［リモコン端末５の予約処理の説明］
以下に、カラオケネットワークシステム１のリモコン端末５が実行する予約処理の処理手順を図８のフローチャートに基づいて説明する。この予約処理は、カラオケネットワークシステム１のリモコン端末５が起動している場合に他の処理からは独立して繰り返し実行される。
【００５０】
まず、操作部６０に対してペン入力が行われるまで待機し（Ｓ４０２：ＮＯ）、ペン入力が行われた場合には（Ｓ４０２：ＹＥＳ）、カメラ７２を制御してユーザの顔画像を取得する（Ｓ４０４）。そして、その取得したユーザの顔画像と先のログイン処理にてメモリ５６に記憶した顔画像とを比較する（Ｓ４０６）。その比較結果により、先のログイン処理にてメモリ５６に記憶した顔画像の中に、その取得したユーザの顔画像と一致する画像があると判断された場合には（Ｓ４０８：ＹＥＳ）、その一致する顔画像に対応するログインＩＤのマイページ画面に表示部５８の表示を切り替える（Ｓ４１０）。続いて、予約を受け付けるまで待機し（Ｓ４１２：ＮＯ）、予約を受け付けた場合には（Ｓ４１２：ＹＥＳ）、その受け付けた予約曲と歌唱データとをマイページ履歴に反映させる（Ｓ４１４）。続いて、ログアウト要求されているか否かを判断し、ログアウト要求されていない場合には（Ｓ４１６：ＮＯ）Ｓ４１２に移行し、一方、ログアウト要求されている場合には（Ｓ４１６：ＹＥＳ）、マイページ履歴をログインＩＤと対応付けてカラオケ用ホストサーバ２へ送信する（Ｓ４１８）。そして、本処理を終了する。
【００５１】
一方、先のＳ４０８において、先のログイン処理にてメモリ５６に記憶した顔画像の中に、その取得したユーザの顔画像と一致する画像がないと判断された場合には（Ｓ４０８：ＮＯ）、マイページ画面およびログインＩＤを切り替えずにマイページ履歴をメモリ５６に一時記憶させる（Ｓ４２０）。続いて、予約を受け付けるまで待機し（Ｓ４２２：ＮＯ）、予約を受け付けた場合には（Ｓ４２２：ＹＥＳ）、ログイン中のユーザに対応する歌唱データの中に、その受け付けた予約曲と一致するデータがあるか否かを判断する（Ｓ４２４）。一致するデータが存在しないと判断された場合には（Ｓ４２４：ＮＯ）、その受け付けた予約曲と一致するデータが存在しないと判定し（Ｓ４３４）、カラオケ装置４から送信された採点値を受信するまで待機し（Ｓ４３８：ＮＯ）、カラオケ装置４から送信された採点値を受信した場合には（Ｓ４３８：ＹＥＳ）、その受信した採点値と各ログインＩＤの他のカラオケ楽曲に対する採点値とを比較し、最も近い値の採点値に対応付けられているログインＩＤを歌唱者のログインＩＤと特定して、そのログインＩＤのマイページの履歴にその採点値を記録させる（Ｓ４４０）。そして、本処理を終了する。
【００５２】
一方、先のＳ４２４にて受け付けた予約曲と一致するデータが存在すると判断された場合には（Ｓ４２４：ＹＥＳ）、その歌唱データとログイン中のユーザによる歌唱を採点した歌唱データとを比較して、歌唱者のログインＩＤを特定する（Ｓ４２６）。歌唱者のログインＩＤを特定しなかった場合には（Ｓ４２８：ＮＯ）、歌唱者のログインＩＤの特定ができなかったと判断し（Ｓ４３６）、Ｓ４３８に移行する。一方、歌唱者のログインＩＤを特定した場合には（Ｓ４２８：ＹＥＳ）、その特定したログインＩＤに切り替えるとともに、メモリ５６に一時記憶しているマイページ履歴を、その特定したログインＩＤに対応するマイページに移動させる（Ｓ４３０）。続いて、ログアウト要求されているか否かを判断し、ログアウト要求されていない場合には（Ｓ４３２：ＮＯ）Ｓ４２２に移行し、一方、ログアウト要求されている場合には（Ｓ４３２：ＹＥＳ）、Ｓ４１８に移行する。
【００５３】
［カラオケ装置４のカラオケ演奏処理の説明］
以下に、カラオケネットワークシステム１のカラオケ装置４が実行するカラオケ演奏処理の処理手順を図９のフローチャートに基づいて説明する。このカラオケ演奏処理は、カラオケネットワークシステム１のカラオケ装置４が起動している場合に他の処理からは独立して繰り返し実行される。
【００５４】
まず、リモコン端末５から送信されたログインＩＤおよび予約曲を受け付けるまで待機し（Ｓ５０５：ＮＯ）、受け付けた場合には（Ｓ５０５：ＹＥＳ）、その予約曲のカラオケ演奏を開始する（Ｓ５１０）。
【００５５】
続いて、ログイン中のユーザのログインＩＤすべてに対応する過去の歌唱データの中から、現在演奏中のカラオケ演奏曲と同一曲に関する歌唱データを送信するようカラオケ用ホストサーバ２に要求する（Ｓ５１５）。そして、カラオケ用ホストサーバ２から送信された歌唱データを受信し（Ｓ５２０）、該当する歌唱データが存在するか否かを判断する（Ｓ５２５）。該当する歌唱データが存在すると判断された場合には（Ｓ５２５：ＹＥＳ）、歌唱者による歌唱に関する歌唱データと、過去の歌唱データとをログインＩＤごとに比較し（Ｓ５３０）、ログインＩＤと現在演奏中のカラオケ演奏曲とを対応付けてリモコン端末５に通知する（Ｓ５３５、Ｓ５４０）。そして、本処理を終了する。
【００５６】
一方、該当する歌唱データが存在しないと判断された場合には（Ｓ５２５：ＮＯ）、歌唱者による歌唱を採点し（Ｓ５４５）、各ログインＩＤに対応する採点値と現在演奏中のカラオケ演奏曲に対する採点値とを比較して、その比較の結果、現在演奏中のカラオケ演奏曲に対する採点値に最も近い採点値を特定して、その特定した採点値に対応するログインＩＤが歌唱者とみなしてリモコン端末５に通知する（Ｓ５５０、Ｓ５５５）。そして、本処理を終了する。
【００５７】
［カラオケ用ホストサーバ２のログアウト処理の説明］
以下に、カラオケネットワークシステム１のカラオケ用ホストサーバ２が実行するログアウト処理の処理手順を図１０のフローチャートに基づいて説明する。このカラオケ用ホストサーバ２によるログアウト処理は、カラオケネットワークシステム１のカラオケ用ホストサーバ２が起動している場合に他の処理からは独立して繰り返し実行される。
【００５８】
まず、リモコン端末５から送信された、ログイン中のユーザのログインＩＤに対応するログアウト要求を受信するまで待機し（Ｓ６１０：ＮＯ）、受信した場合には（Ｓ６１０：ＹＥＳ）、ログインＩＤと、更新されたマイページ履歴とを受信し（Ｓ６２０）、受信したマイページ履歴をデータベース２ｂに記憶させる（Ｓ６３０）。そして、本処理を終了する。
【００５９】
［第一実施形態の効果］
（１）このように第一実施形態のカラオケネットワークシステム１によれば、リモコン端末５が実行する予約処理において、ユーザの顔画像と先のログイン処理にてメモリ５６に記憶した顔画像とを比較し（Ｓ４０６）、顔画像による利用者の確認ができないときには（Ｓ４０８：ＮＯ）、ユーザインターフェースを切り替えてサービス提供を継続しながら（Ｓ４３０）、今回の歌唱データと過去の歌唱データとの比較によって利用者の確認を行う（Ｓ４２６）。そして、ログアウト時にマイページ履歴をログインＩＤと対応付けてカラオケ用ホストサーバ２へ送信する（Ｓ４１８）。カラオケ用ホストサーバ２では、ログアウト処理において、ログインＩＤと、更新されたマイページ履歴とを受信し（Ｓ６２０）、受信したマイページ履歴をデータベース２ｂに記憶させる（Ｓ６３０）。
【００６０】
このことにより、カラオケネットワークシステム１で複数人のユーザがリモコン端末５を共有して操作して、ユーザ各個人のカラオケ情報やその他の情報を閲覧することも共有する場合において、リモコン端末５を利用するユーザが交代した際に個人用Ｗｅｂページの切り替えを怠った場合でも、そのユーザの交代を検知して個人用Ｗｅｂページを確実に切り替えることで、前にリモコン端末５を利用したユーザの個人用Ｗｅｂページから予約などを誤って行ってしまうことを防ぎ、ログアウトするまでの間に作成された、ユーザ各個人の新たなカラオケ履歴を正しくホストサーバ２に蓄積されたマイページ履歴に記録させることができる。
【００６１】
（２）また、第一実施形態のカラオケネットワークシステム１によれば、リモコン端末５のカメラ７２については、取得する画像の画像面の法線方向が操作部６０の操作面の法線方向とほぼ同一方向で、且つ操作部６０の操作面から、３０〜６０ｃｍ程度離れた位置において合焦し、操作部６０の操作面の中心点から約＋／−２０ｃｍ〜４０ｃｍ四方の範囲を撮影範囲となるよう顔画像を取得することが可能である。このことにより、顔画像による利用者の確認の精度をより向上させることができる。また、例えば、操作面が鏡面であると仮定すると、前記鏡に映った自己の顔が全て映った範囲が撮影範囲となるようにすれば、顔画像による利用者の確認の精度を更に向上させることができるので、ログアウトするまでの間にカラオケ装置やリモコン端末側で更新や追加されたユーザ各個人のカラオケ情報やその他の情報を、ホストサーバのデータベースに正しく記録させることができる。
【００６２】
（３）また、第一実施形態のカラオケネットワークシステム１によれば、リモコン端末５が実行する予約処理において、ログイン中のユーザに対応する歌唱データの中に、その受け付けた予約曲と一致するデータが存在しないと判断された場合には（Ｓ４２４：ＮＯ）、その受け付けた予約曲と一致するデータが存在しないと判定し（Ｓ４３４）、歌唱者の歌唱を採点した採点値と各ログインＩＤの他のカラオケ楽曲に対する採点値とを比較し、最も近い値の採点値に対応付けられているログインＩＤを歌唱者のログインＩＤと特定してそのログインＩＤのマイページの履歴にその採点値を記録させる（Ｓ４４０）。このことにより、ログイン中のユーザに対応する歌唱データの中に、その受け付けた予約曲と一致するデータが存在しない場合であっても、利用者の確認の精度をより向上させることができるので、ログアウトするまでの間にカラオケ装置やリモコン端末側で更新や追加されたユーザ各個人のカラオケ情報やその他の情報を、ホストサーバのデータベースに正しく記録させることができる。
【００６３】
［他の実施形態］
以上、本発明の一実施形態について説明したが、本発明は上記実施形態に限定されるものではなく、以下のように様々な態様にて実施することが可能である。
【００６４】
（１）例えば、ユーザの顔画像をカメラ７２によって撮影を行うときに、制御部５２が撮影画像をメモリ５６に記録する前に、前記撮影画像を表示部５８に表示することで、ユーザは自顔画像が正常に撮影されていることを確認可能な状態にしてから、ユーザによる操作部６０を介した撮影画像記録承認をもって、制御部６０が前記顔画像を記録すれば、更に正確に予約時のカメラ認証が行えるようになるので、ログアウトするまでの間に更新や追加されたユーザ各個人のカラオケ情報やその他の情報を、ホストサーバのデータベースに正しく記録させることができる。
【００６５】
（２）また、予約時のカメラ認証するときにも、制御部５２が予約時のカメラ認証を行う直前に撮影したカメラ撮影画像を前記表示部６２することで、ユーザは顔画像が正しく撮影されているか確認可能な状態になるので、予め定められた一定時間後に制御部５２が、その状態で認証すれば、更に正しく予約時のカメラ認証が行えるようになるので、ログアウトするまでの間にカラオケ装置やリモコン端末側で更新や追加されたユーザ各個人のカラオケ情報やその他の情報を、ホストサーバのデータベースに正しく記録させることができる。
【図面の簡単な説明】
【００６６】
【図１】インターネット２００を利用したカラオケネットワークシステム１の概略構成を示すブロック図である。
【図２】カラオケ店等のカラオケルーム内に設置されているカラオケ装置４及びリモコン端末５のより具体的な構成を示すブロック図である。
【図３】（ａ）はカラオケ用ホストサーバ２のデータベース２ｂが記憶するマイページを示す説明図であり、（ｂ）はカラオケ用ホストサーバ２のデータベース２ｂが記憶するマイページ（ユーザ画面）を示す説明図である。
【図４】（ａ）はカラオケ装置４のメモリ４０のメモリマップを示す説明図であり、（ｂ）はリモコン端末５のメモリ５６のメモリマップを示す説明図である。
【図５】リモコン端末５が実行するログイン処理の手順を示すフローチャートである。
【図６】カラオケ装置４が実行するログイン処理の手順を示すフローチャートである。
【図７】カラオケ用ホストサーバ２が実行するログイン処理の手順を示すフローチャートである。
【図８】リモコン端末５が実行する予約処理の手順を示すフローチャートである。
【図９】カラオケ装置４が実行するカラオケ演奏処理の手順を示すフローチャートである。
【図１０】カラオケ用ホストサーバ２が実行するログアウト処理の手順を示すフローチャートである。
【図１１】カラオケ用ホストサーバ２、カラオケ装置４、および２つのリモコン端末５間で行われる通信の流れを模式的に示すラダーチャートである。
【符号の説明】
【００６７】
１…カラオケネットワークシステム、２…カラオケ用ホストサーバ、２ａ…Ｗｅｂサーバ、２ｂ…データベース、４…カラオケ装置、５…リモコン端末、１２…制御部、１４…インタフェース部、１６…ハードディスク（ＨＤＤ）、１８…操作部、２０…赤外線通信部、２２…操作処理部、２４…音声制御部、２６…マイクロフォン、２８…スピーカ、３０…ＭＩＤＩ音源、３２…ビデオＲＡＭ、３４…映像再生部、３６…モニタ、３８…映像制御部、４０…メモリ、５２…制御部、５４…赤外線通信部、５６…メモリ、５８…表示部、６０…操作部、６２…操作処理部、６４…ビデオＲＡＭ、６６…映像制御部、６８…無線ＬＡＮ通信部、１００…ＬＡＮ、１１０…アクセスポイント、１２０，１３０…ルータ、２００…インターネット
【図１】
2008250160.tif 000003
【図２】
2008250160.tif 000004
【図３】
2008250160.tif 000005
【図４】
2008250160.tif 000006
【図５】
2008250160.tif 000007
【図６】
2008250160.tif 000008
【図７】
2008250160.tif 000009
【図８】
2008250160.tif 000010
【図９】
2008250160.tif 000011
【図１０】
2008250160.tif 000012
【図１１】
2008250160.tif 000013